(57)【要約】【課題】 在室中に、強盗に襲われた場合に、監視センタに対して自動的に非常通報が可能な警報システムを実現する。【解決手段】監視領域の内部に設けられ、人の動作を検知する特定センサと、監視領域の外周に設けられ外部からの侵入者を検知する外周センサと、前記特定センサ及び前記外周センサと接続された制御装置を有し、前記各センサの検知信号を受信して通報動作を行なう警備システムにおいて、制御装置は、警備モードとして、少なくとも警備セットモード及び在室セットモードを有し、前記警備モードが警備セットモードに設定されている場合に前記特定センサ及び前記外周センサのいずれかが検知すると遠隔の監視センタに侵入異常信号を送信し、前記警備モードが在室セットモードに設定されている場合に前記外周センサの検知後、所定時間以内に前記特定センサが検知すると、遠隔の監視センタに非常信号を送信する。【選択図】  図１
2008310705.tif 000002
【特許請求の範囲】
【請求項１】
監視領域の内部に設けられ、人の動作を検知する特定センサと、
監視領域の出入口等の外周開口部に設けられて外部からの侵入者を検知する外周センサと、
前記特定センサ及び前記外周センサと接続された制御装置を有し、前記各センサの検知信号に基づいて遠隔の監視センタに通報を行なう警備システムであって、
前記制御装置は、警備モードとして、少なくとも警備セットモード及び在室セットモードを有し、前記警備モードが警備セットモードに設定されている場合に前記特定センサ及び前記外周センサのいずれかが検知すると前記監視センタに侵入異常信号を送信し、前記警備モードが在室セットモードに設定されている場合に前記外周センサの検知後、所定時間以内に前記特定センサが検知すると、前記監視センタに非常信号を送信することを特徴とする警備システム。
【請求項２】
監視領域の内部に設けられ、人の動作を検知する特定センサと、
監視領域の出入口等の外周開口部に設けられて外部からの侵入者を検知する外周センサと、
前記特定センサ及び前記外周センサと接続された前記在室セット器と、前記在室セット器と接続された制御装置を有し、前記各センサの検知に基づいて遠隔の監視センタに通報を行なう警備システムであって、
前記在室セット器にて、在室セットモードに設定されていない場合には前記特定センサ及び前記外周センサのいずれかが検知すると前記コントローラに侵入信号を送信し、前記在室セットモードに設定されている場合は、前記外周センサの検知後、所定時間以内に前記特定センサが検知すると前記コントローラに非常信号を送信し、
前記コントローラは、動作モードとして少なくとも警備セットと警備解除モードを有し、
警備セットモードに設定されている場合に前記在室セット器から侵入信号を受信すると前記監視センタに侵入異常信号を送信し、前記警備モードが解除モードに設定されている場合に前記在室セット器から非常信号を受信すると前記監視センタに非常信号を送信し前記在室セット器から侵入異常信号を受信しても通報動作を行なわないことを特徴とする警備システム。
【請求項３】
前記在宅セット器は、前記警備解除モードが設定されている場合に在宅セットモードが設定できることを特徴とする請求項２に記載の警備システム。
【請求項４】
前記コントローラは、前記警備セットモードに設定されるとセット信号を前記在室セット器に送信し、前記在室セット器は警備セット信号を受信すると在室セットモードを解除することを特徴とした請求項2に記載の警備システム。
【発明の詳細な説明】
【技術分野】
【０００１】
本発明は、事務所などの監視建物に設置され、侵入者、火災、非常などの異常状態を感知したときに遠隔の監視センタへ通報をする警備システムに関する。
【背景技術】
【０００２】
従来より、監視対象である建物に侵入センサや火災センサ、ガス漏れセンサ、非常時に操作する非常ボタン等を適所に設置し、これらの各種センサが異常を検知した場合に電話回線などの通信回線を介して、外部の監視センターに通報する通報装置からなる警備システムが普及している。
【０００３】
これらの警備システムにおいては、夜間や休日、外出時などに建物内が無人の場合に設定する監視モード及び建物内が有人の場合に設定する解除モードを有する。
そして、監視モードにおいては、侵入センサが建物内への侵入者を検知した場合に監視センタに通報するが、解除モードに設定した場合には、侵入者センサが検知しても監視センタには通報しない。尚、火災センサや非常ボタンの操作を検知した場合は警備解除モードであっても通報を行なう。
また、特許文献１には、警備対象である建物内部に在宅者がいる場合に「夜間モード」に設定し、窓等に設置したセンサーが感知した場合に警報出力を行なうようにした警備システムが記載されている。
【特許文献１】特開昭６１‐３９１９７
【発明の開示】
【発明が解決しようとする課題】
【０００４】
昨今、ユーザーが在室している時にも外部より強盗などの侵入者が侵入して犯罪行為を行なうケースが増加している。上記の従来の警備システムでは、解除モードに設定されている場合、侵入者が外部より侵入してもこれを検知して自動的に通報することができず、非常ボタンなどの操作等により始めて通報動作がなされることになる。すなわち、ユーザーが、侵入者に気が付かなかったり、侵入者に気が付いても脅されたり危害を加えられたりすると通報することができない場合がある。
また、特許文献１に記載された警備システムは一般の住宅家屋を対象としており、事務所や金融機関等における警備を考慮したものではなかった。
【０００５】
そこで、本発明は、事務所や金融機関などにおいて内部でユーザーが仕事をしている場合でも、外部からの侵入者を検知して、自動的に通報することのできる警備システムを提供することを目的とする。
また、強盗などの非常事態であることを非常ボタン等を操作することなく、通報することができる警備システムを提供する。
【課題を解決するための手段】
【０００６】
本発明は、上記課題を解決するためになされたものである。
上記目的を達成する本発明による警備システムは、監視領域の内部に設けられ、人の動作を検知する特定センサと、監視領域の出入口等の外周開口部に設けられて外部からの侵入者を検知する外周センサと、前記特定センサ及び前記外周センサと接続された制御装置を有し、前記各センサの検知信号に基づいて遠隔の監視センタに通報を行なう警備システムであって、前記制御装置は、警備モードとして、少なくとも警備セットモード及び在室セットモードを有し、前記警備モードが警備セットモードに設定されている場合に前記特定センサ及び前記外周センサのいずれかが検知すると前記監視センタに侵入異常信号を送信し、前記警備モードが在室セットモードに設定されている場合に前記外周センサの検知後、所定時間以内に前記特定センサが検知すると、前記監視センタに非常信号を送信することを特徴とする。
【０００７】
また、本発明による警備システムは、監視領域の内部に設けられ、人の動作を検知する特定センサと、監視領域の出入口等の外周開口部に設けられて外部からの侵入者を検知する外周センサと、前記特定センサ及び前記外周センサと接続された前記在室セット器と、前記在室セット器と接続された制御装置を有し、前記各センサの検知に基づいて遠隔の監視センタに通報を行なう警備システムであって、前記在室セット器にて、在室セットモードに設定されていない場合には前記特定センサ及び前記外周センサのいずれかが検知すると前記コントローラに侵入信号を送信し、前記在室セットモードに設定されている場合は、前記外周センサの検知後、所定時間以内に前記特定センサが検知すると前記コントローラに非常信号を送信し、前記コントローラは、動作モードとして少なくとも警備セットと警備解除モードを有し、警備セットモードに設定されている場合に前記在室セット器から侵入信号を受信すると前記監視センタに侵入異常信号を送信し、前記警備モードが解除モードに設定されている場合に前記在室セット器から非常信号を受信すると前記監視センタに非常信号を送信し前記在室セット器から侵入異常信号を受信しても通報動作を行なわないことを特徴とする。
【０００８】
また、上記警備システムにおいて、在宅セット器は、警備解除モードが設定されている場合に在宅セットモードが設定できることを特徴とする。
また、上記警備システムにおいて、コントローラは、警備セットモードに設定されるとセット信号を前記在室セット器に送信し、前記在室セット器は警備セット信号を受信すると在室セットモードを解除する。
【発明の効果】
【０００９】
本発明によれば、警備システムの動作モードを在宅セットに設定した場合に外部より侵入者があった場合は自動的に通報することができるとともに、避難動作を検知して、非常通報を行なうことができる。
【発明を実施するための最良の形態】
【００１０】
以下、添付の図面を用いて、本発明の実施形態について説明する。
図１は、本発明の警備システムの全体の構成を示す。監視建物１には、出入口１１と窓１２が設けられている。また、侵入者があったときに逃げ込めるパニックルーム１３が設けられている。
監視建物1には、コントローラ５や在室セット器４、各種センサ6〜１０が配置される。出入口１１に最終センサ６が配置され、建物の外周である窓１２には外周センサ７、パニックルーム１３内には人体を検知する空間センサである特定センサ８が配置され、これらは在室セット器４に接続される。
【００１１】
最終センサ６は、出入口１１の扉の開閉を検知する。窓センサ ７は、窓の開閉、破壊などを検知する。
パニックルーム１３内の特定センサ8は、本発明における特定検知器を構成する。在室セット器４は、最終センサ６、外周センサ７、特定センサ８から検知信号を受信すると、在室セット操作器４の操作状況に応じて、非常信号又は検知信号をコントローラ５に出力する。
コントローラ５には、火災を検知する火災センサー9や非常ボタン１０が接続されている。
又、コントローラ５は、電話回線網からなる通信回線２により遠隔の監視センタ３と接続されている。
コントローラ５は、在室セット器４から異常信号を受信した場合、その他、火災センサ９や非常ボタン１０が作動した場合は、警備モードに応じて監視センタ３に各種の異常信号を通報する。
【００１２】
ここで、警備システムの警備モードについて説明する。
本例では警備モードとして、「警備セットモード」、「警備解除モード」、「在室セットモード」がある。
「警備セットモード」は、夜間や休日などで警備対象である建物１内が無人となる場合に設定する警備モードで、各センサが異常を検知した場合には直に遠隔の監視センタに通報動作を行なう。
「警備解除モード」は、就業時間中などで警備対象である建物１内に人がいる場合に設定する警備モードで、最終センサ６や外周センサ７や室内に設置された特定センサその他侵入センサが検知しても通報動作を行なわない。火災センサ9が検知した場合や非常ボタン１０が作動した場合には通報動作を行なう。
【００１３】
「在室セットモード」は、就業時間中などで警備対象である建物１内に人いるが小人数や夜間等で人気が少ない場合等で侵入者の不安がある場合に設定する警備モードで、室内に設置された特定センサは検知しないが、最終センサ６や外周センサ７が検知した場合には、ユーザーにブザー鳴動等にて報知し、所定時間以内にキャンセル操作をしないと通報動作を行なう。火災センサ9が検知した場合や非常ボタン１０が作動した場合にも通報動作を行なう。
【００１４】
次に、図２を用いて、在室セット器４の構成を説明する。ＣＰＵにより構成される制御部４０１が、装置内の以下に説明する各部を制御する。制御部４０１の動作については、図４及び図５に示すフローチャートを用いて後述する。
最終センサ６からの検知信号は、最終センサＩ／Ｆ４０２を介して制御部４０１に入力される。
外周センサ７からの信号は、外周センサＩ／Ｆ４０３を介して制御部４０１に入力される。特定センサ８からの信号は、特定センサＩ／Ｆ４０４を介して制御部４０１に入力される。
制御部４０１には、更に、表示部４０５、操作部４０６、記憶部４０７が接続される。
【００１５】
記憶部４０７は、操作部４０６においてユーザーの操作や、コントロ−ラ５から受信したモード信号により設定された動作モードを記憶する。表示部４０５はＬＥＤ等により構成され、動作モード等を表示する。操作部４０６は、テンキーボタン等で構成され、ユーザーがセット操作や解除操作、キャンセル操作を行なう。
【００１６】
制御部４０１は、最終侵入異常信号を最終侵入出力部４０８から、一般侵入異常を一般侵入異常出力部４０９から、在室侵入異常信号を在室侵入出力部４１０から、非常信号を非常出力部４１１からコントローラ５へそれぞれ出力する。
コントローラ５からのセット信号は、セット信号入力部４１２を介して制御部４０１に入力される
【００１７】
図３を用いて、コントローラ５の構成を説明する。ＣＰＵにより構成される制御部５０１が、装置内の以下に説明する各部を制御する。制御部５０１の動作については後述する。在室セット器４からの信号は、最終侵入入力部５０２、一般侵入入力部５０３、在室侵入入力部５０４、非常入力部５０５を介して制御部５０１にそれぞれ入力される。火災センサ９や非常ボタン１０からの信号は、センサＩ／Ｆ５０９を介して制御部５０１に入力される。制御部５０１は更に、表示部５０８、記憶部５１１、操作部５０７が接続される。
本例では、コントローラ５と在室セット操作器４を別体として説明しているが、これは、既存のコントローラに本例の在室セット器４を付加するだけで実現できるという利点があるためである。もちろん、コントローラ５と在室セット操作器４を一体化して一つの装置としてもよい。
【００１８】
制御部５０１は、在室セット器４を介してセンサの検知信号を受信した場合や、火災センサ9や非常ボタン１０から動作信号を受信した場合には警備モードに応じて、監視センタ３に対して異常通報を行う。
【００１９】
以下、上記の警備システムの動作を、図４、図5を参照して説明する。
図４は、警備解除モード及び警備セットモードにおける在室セット器４の動作フローである。
図５は、在室セットモードにおける在室セット器４の動作フローである。
【００２０】
先ず、警備解除モードに設定した場合の動作について説明する。警備解除モードとは、前述のとおり、就業時間中などで警備対象である建物１内に人いる場合に設定する警備モードで、最終センサ６や外周センサ７や室内に設置された特定センサその他侵入センサが検知しても通報動作を行なわないが、火災センサ9が検知した場合や非常ボタン１０が作動した場合には通報動作を行なうモードである。
【００２１】
ユーザーはコントローラ5の操作部５０７にて警備解除操作を行なう。警備解除操作は暗証番号やＩＣカード等の公知の認証手段を利用すれば良い。コントローラ５の制御部５０１は記憶部５１１に警備解除を記憶する。
図４に示すフローチャートを参照して、警備解除モードにおける在室セット器４の動作を説明する。
【００２２】
在室セット器４は最終センサ６、外周センサ７、特定センサ８から検知信号受信すると、そのままコントローラ５に出力する。すなわち、制御部４０１は、最終センサＩ／Ｆ４０２を介して最終センサ６の検知信号を受信すると（ステップＳ４０１）、最終侵入出力部４０８より最終侵入信号を出力する（ステップＳ４０２）。同様に、外周センサＩ／Ｆ４０３を介して外周センサ７の検知信号を受信した場合すると（ステップＳ４０３）、外周侵入出力部４０9より一般侵入信号を出力する（ステップＳ４０４）。更に、特定センサＩ／Ｆ４０３を介して特定センサ８の検知信号を受信した場合（ステップＳ４０５）にも、一般侵入出力部４０9より一般侵入信号を出力する（ステップＳ４０４）。
【００２３】
コントローラ５では、制御部５０１が、在室セット器４から最終侵入入力部５０２、一般侵入入力部５０３を介して、在室セット器４から最終侵入異常信号や一般侵入異常信号を受信しても、これはユーザーの行動に起因するものとして通報動作は行なわない。
【００２４】
次に、在室セットモードの場合の動作を説明する。
在室セットモードは、前述のように、ユーザーが在室している場合であって、扉や窓が開放されて最終センサ6や外周センサ7が検知したときに、これをユーザーに報知したり必要に応じて監視センターに通報することができるモードである。
【００２５】
図５に示すフローチャートを参照して、在室セット器４が在室セットモードに設定されているときの動作を説明する。
ユーザーは、警備解除モードの場合に、在室セットモードに設定することができる。
在室セットモードに設定する場合、ユーザーが在室セット４の操作部４０６であるテンキーボタンを使用して暗証番号を入力する。制御部４０１は、記憶部４０７に在室セット操作を記憶する。
【００２６】
在室セット器４は、在室セット操作がされた場合は、以下の動作を行なう。
制御部４０１は、最終センサＩ／Ｆ４０２又は外周センサＩ／Ｆ４０３を介して、最終センサ６または外周センサ７の検知信号を受信すると（ステップＳ５０１：ＹＥＳ）、表示部４０５のブザーを鳴動してユーザーに報知する（ステップＳ５０２）。そして、制御部４０１内部の計時手段にて計時動作を開始する（ステップＳ５０３）。
【００２７】
次に、制御部４０１は、特定センサ８から検知信号の受信の有無を監視する。特定センサ８は室内の特定のエリアに設けられている。この特定のエリアとは、例えば、侵入者があった場合に避難をするパニックルーム13である。もし、最終センサ６や外周センサ７が感知した後、所定時間以内に特定センサ８が感知した場合は、ユーザーが、侵入者から避難をする為に特定エリアに逃げ込んだ可能性が高い。
【００２８】
従って、最終センサ６または外周センサ7が検知してから所定時間以内に特定センサ８が感知すると、制御部４０１は、特定センサＩ／Ｆ４０４を介して検知信号を受信し（ステップＳ５０４：ＹＥＳ）、非常信号を非常出力部４１１からコントローラ５に対して出力する（ステップＳ５０５）。
【００２９】
ユーザーが、不用意に窓を開けてしまったり、侵入者ではない他のユーザーが入室したとき等で外周センサ７や最終センサ６が感知した場合には、通報動作をキャンセルする必要がある。ユーザーは、外周センサ７や最終センサ６の感知によりブザーが鳴動した場合には、計時動作時間以内に、外周センサ７や最終センサ６が感知した原因を確認し、異常がなければ操作部４０６にてキャンセル操作を行なう。キャンセル操作は例えば暗証番号を入力する。制御部４０１は暗証番号の入力があるとこれを予め登録された暗証番号と照合し一致していればキャンセル操作有り（ステップＳ５０６：ＹＥＳ）として、通報動作をキャンセルしてブザーの鳴動を停止し（ステップＳ５０７）、計時動作を停止する（ステップＳ５０８）。
【００３０】
実際に侵入者があった場合などで、外周センサ７や最終センサ６の感知したのち、ユーザーのキャンセル操作が行なわれずに計時手段がタイムアップした場合（ステップＳ５１０：ＹＥＳ）には、制御部４０１は、在室侵入出力部４１０から在室侵入異常信号をコントローラ５に対して出力する。
【００３１】
コントローラ５は、在室セット器４から、在室侵入入力部５０４を介して、在室侵入異常信号を受信した場合には、制御部５０１は通信制御部５０１から通信回線２を介して監視センタ３に通報を行なう。
【００３２】
また、在室セット器４から非常侵入入力部５０４を介して非常信号を受信した場合には、制御部５０１は、通信制御部５０１から通信回線２を介して監視センタ３に通報を行なう。
センサＩ／Ｆ５０９を介して、火災センサ９や非常ボタン１０の動作信号を受信した場合にも、制御部５０１は信回線２を介して監視センタ３に通報を行なう。
【００３３】
次に、警備セットモードの場合の動作を説明する。
「警備セットモード」は、前述のとおり、夜間や休日などで警備対象である建物１内が無人となる場合に設定する警備モードである。
警備セットモードに設定するには、警備解除モード又は在室セットモードのときに、ユーザーがコントローラ5の操作部５０７にて警備解除操作を行なう。警備解除操作は暗証番号やＩＣカード等の公知の認証手段を利用すれば良い。コントローラ５の制御部５０１は記憶部５１１に警備セットが記憶される。
【００３４】
コントローラ5が警戒セットの操作が設定されると、コントローラ5のセット信号出力部５０６からセット信号が在室セット器４に出力される。在室セット器４はセット信号入力部４１２を介してセット信号を受信すると記憶部４０７に在室セットが記憶されている場合にはこれをキャンセルする。
【００３５】
つまり、警備セットモードにおいては、在室セット器４は、図４に示すように、在室セット器４は、最終センサ６、外周センサ７、特定センサ８から検知信号受信すると、そのままコントローラ５に出力する。すなわち、制御部４０１は、最終センサＩ／Ｆ４０２を介して最終センサ６の検知信号を受信すると（ステップＳ４０１）、最終侵入出力部４０８より最終侵入信号を出力する（ステップＳ４０２）。同様に、外周センサＩ／Ｆ４０３を介して外周センサ７の検知信号を受信した場合すると（ステップＳ４０３）、外周侵入出力部４０9より一般侵入信号を出力する（ステップＳ４０４）。更に、特定センサＩ／Ｆ４０３を介して特定センサ８の検知信号を受信した場合（ステップＳ４０５）にも、一般侵入出力部４０9より一般侵入信号を出力する（ステップＳ４０４）。
【００３６】
コントローラ５は、在室セット器４から一般侵入入力部５０３を介して、一般侵入異常信号を受信すると、制御部５０１は、侵入者有りとして通信制御部５０１から通信回線２を介して監視センタ３に通報を行なう。
【００３７】
在室セット器４から最終侵入入力部５０２を介して、最終侵入異常信号を受信した場合、制御部５０１は、最終センサ６の感知はユーザーの最初の入館による可能性が有るので、入館ディレータイマーを動作させる。そして、入館ディレータイマー動作中に、操作部５０７にて警戒解除操作が行なわれた場合には通報動作は行なわない。
【００３８】
入館ディレータイマー動作中に警戒解除操作が行なわれずに、タイムアップすると侵入者有りとして通信制御部５０１から通信回線２を介して監視センタ３に通報を行なう。
【００３９】
また、コントローラ５は、在室セット器４から一般侵入入力部５０３を介して、一般侵入異常信号を受信すると、制御部５０１は、侵入者有りとして通信制御部５０１から通信回線２を介して監視センタ３に通報を行なう。
【００４０】
在室セット器４から最終侵入入力部５０２を介して、最終侵入異常信号を受信した場合、制御部５０１は、最終センサ６の感知はユーザーの最初の入館による可能性が有るので、入館ディレータイマーを動作させる。そして、入館ディレータイマー動作中に、操作部５０７にて警戒解除操作が行なわれた場合には通報動作は行なわない。
【００４１】
入館ディレータイマー動作中に警戒解除操作が行なわれずに、タイムアップすると侵入者有りとして通信制御部５０１から通信回線２を介して監視センタ３に通報を行なう。
【００４２】
尚、コントローラ５は警戒セットモードに設定されると、前述のとおり在室セット器４にセット信号を送出し、その結果在室セット器４の動作モードは、在室解除モードに設定されるので、在室セット器４から在室侵入異常信号や非常信号は送出されない。
【図面の簡単な説明】
【００４３】
【図１】本発明の一実施形態に係る警備システムの全体の構成図である。
【図２】在室セット器４の各機能を示す機能ブロック図である。
【図３】コントローラ５の各機能を示す機能ブロック図である。
【図４】在室セット器４の警戒セットモード及び警戒解除モード時の動作フローを示す図である。
【図５】在室セット器４の在室セットモード時の動作フローを示す図である。
【符号の説明】
【００４４】
１・・・監視建物
２・・・通信回線
３・・・監視センタ
４・・・在室セット器
５・・・コントローラ
６・・・最終センサ
７・・・外周センサ
８・・・特定センサ
９・・・火災センサ
１０・・・非所ボタン
１１・・・出入口
１２・・・窓
１３・・・パニックルーム
４０２・・・最終センサＩ／Ｆ
４０３・・・外周センサＩ／Ｆ
４０４・・・特定センサＩ／Ｆ
４０５・・・表示部
４０６・・・操作部
４０７・・・記憶部
４０８・・・最終侵入出力部
４０９・・・一般侵入出力部
４１０・・・在室侵入出力部
４１１・・・非常出力部
４１２・・・セット信号入力部
５０２・・・最終侵入入力部
５０３・・・一般侵入入力部
５０４・・・在室侵入入力部
５０５・・・非常入力部
５０６・・・セット信号出力部
５０７・・・操作部
５０８・・・表示部
５０９・・・センサＩ／Ｆ
５１０・・・通信制御部
５１１・・・記憶部
【図１】
2008310705.tif 000003
【図２】
2008310705.tif 000004
【図３】
2008310705.tif 000005
【図４】
2008310705.tif 000006
【図５】
2008310705.tif 000007